【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
第１の装置によってリスニング期間を開始させることと、ここで、前記第１の装置は、前記リスニング期間中に、現在の指向性通信を停止させ、新たな通信を開始させる要求のために無指向性の方法でリッスンするように構成される、
前記リスニング期間中に前記要求が受信されたかどうかを決定することと、
前記リスニング期間中に前記新たな通信を開始させる前記要求が受信された場合に応答を送信することと、
を備える、無線通信のための方法。
【請求項２】
前記受信された要求は、ブロードキャストビーコンをさらに備える請求項１に記載の方法。
【請求項３】
送信は、前記第１の装置が非リスニング期間にあるときに前記ブロードキャストビーコンに対する前記応答を送信することを備える請求項２に記載の方法。
【請求項４】
前記送信は、前記第１の装置の前記リスニング期間中又は第２の装置のリスニング期間中のいずれか一方に送信することを備える請求項１に記載の方法。
【請求項５】
前記第１の装置のリスニング期間情報が用いられるネットワークと前記第１の装置によって関連付けることをさらに備える請求項１に記載の方法。
【請求項６】
前記応答の前記送信は、第２の装置が重複するリスニング期間を選択することなしに前記ネットワークと関連付けるのを可能にするために前記第２の装置に前記リスニング期間情報を送信することを備える請求項５に記載の方法。
【請求項７】
前記リスニング期間情報は、前記ネットワークと関連付けられた装置の数と、各々の関連付けられた装置に関するリスニング期間時間及び長さと、を備える請求項５に記載の方法。
【請求項８】
前記リスニング期間情報は、前記第１の装置のデバイス識別情報をさらに備える請求項５に記載の方法。
【請求項９】
前記第１の装置によるビーコン送信を用いて前記リスニング期間情報をブロードキャストすることをさらに備える請求項５に記載の方法。
【請求項１０】
第２の装置からプローブ要求を受信することと、
前記第２の装置から受信された前記プローブ要求に応答して前記第１の装置によるプローブ応答を用いて前記リスニング期間情報を送信することと、をさらに備える請求項５に記載の方法。
【請求項１１】
前記ネットワークと関連付けられた第２の装置から時間同期化情報を受信することをさらに備え、前記第２の装置は、ＧＰＳに基づくプロトコルを通じて前記時間同期化情報を入手していた請求項５に記載の方法。
【請求項１２】
前記要求のために無指向性の方法でリッスンするための前記第１の装置を前記構成することは、準無指向性アンテナを用いることを備え、前記準無指向性アンテナは、前記第１の装置によって画定された円弧地域にわたって受信するために動作可能である請求項１に記載の方法。
【請求項１３】
無指向性の方法でリッスンするための前記第１の装置を前記構成することは、前記第１の装置の受信アンテナの受信ビームを回転させることによって受信することを備え、前記受信アンテナは、ビーム方向を変えるために動作可能である請求項１に記載の方法。
【請求項１４】
前記ネットワークと関連付けられた各装置に関して期間が定義され、各装置に関する前記期間は、前記リスニング期間情報に含められる請求項５に記載の方法。
【請求項１５】
前記第１の装置は、スーパーフレームの継続時間を定義する前記ネットワークからの情報を受信し、前記スーパーフレームは、ビーコン送信間の時間間隔であり、前記リスニング期間は、前記ネットワークと関連付けられた全装置に共通する前記スーパーフレームの部分として前記ネットワークによって割り当てられる請求項５に記載の方法。
【請求項１６】
前記第１の装置は、スーパーフレームの継続時間を定義する前記ネットワークからの情報を受信し、前記スーパーフレームは、ビーコン送信間の時間間隔であり、前記リスニング期間は、前記スーパーフレームを要求及び応答期間のための複数の小区分に分割することによって、又は前記スーパーフレームを複数の時間スロットに分割することによって、前記スーパーフレームのランダムな部分において、前記スーパーフレームの部分として、前記ネットワークによって割り当てられる請求項５に記載の方法。
【請求項１７】
前記応答は、ＩＥＥＥ８０２．１１プロトコルを用いて送信される請求項１に記載の方法。
【請求項１８】
停止された前記現在の指向性通信は、他の装置に向けられた送信を備える請求項１に記載の方法。
【請求項１９】
前記リスニング期間は、現在の通信の他の部分の送信を継続することをさらに備え、前記他の部分は、非リスニング期間中に受信された要求メッセージに応答して生成された応答メッセージを備える請求項１に記載の方法。
【請求項２０】
停止された前記現在の指向性通信は、前記第１の装置によって送信又は受信された全通信を備える請求項１に記載の方法。
【請求項２１】
第１の装置によってリスニング期間を開始させ、ここで、前記第１の装置は、前記リスニング期間中に、現在の指向性通信を停止させ、新たな通信を開始させる要求のために無指向性の方法でリッスンするように構成される、
前記リスニング期間中に前記要求が受信されたかどうかを決定し、
前記リスニング期間中に前記新たな通信を開始させる前記要求が受信された場合に応答を送信する
ために実行可能なコードを備えるコンピュータによって読み取り可能な記憶媒体。
【請求項２２】
リスニング期間を開始させるための手段と、ここで、装置は、前記リスニング期間中に、現在の指向性通信を停止させ、新たな通信を開始させる要求のために無指向性の方法でリッスンするように構成される、
前記リスニング期間中に前記要求が受信されたかどうかを決定するための手段と、
前記リスニング期間中に前記新たな通信を開始させる前記要求が受信された場合に応答を送信するための手段と、
を備える、無線通信のための装置。
【請求項２３】
前記受信された要求は、ブロードキャストビーコンをさらに備える請求項２２に記載の装置。
【請求項２４】
送信するための前記手段は、前記装置が非リスニング期間にあるときに前記ブロードキャストビーコンに対する前記応答を送信するための手段をさらに備える請求項２３に記載の装置。
【請求項２５】
送信するための前記手段は、前記装置の前記リスニング期間中又は他の装置のリスニング期間中のいずれか一方に送信するための手段をさらに備える請求項２２に記載の装置。
【請求項２６】
前記装置のリスニング期間情報が用いられるネットワークと関連付けるための手段をさらに備える請求項２２に記載の装置。
【請求項２７】
送信するための前記手段は、他の装置が重複するリスニング期間を選択することなしに前記ネットワークと関連付けるのを可能にするために前記他の装置に前記リスニング期間情報を送信するための手段をさらに備える請求項２６に記載の装置。
【請求項２８】
前記リスニング期間情報は、前記ネットワークと関連付けられた装置の数と、各々の関連付けられた装置に関するリスニング期間時間及び長さと、を備える請求項２６に記載の装置。
【請求項２９】
前記リスニング期間情報は、前記装置のデバイス識別情報をさらに備える請求項２６に記載の装置。
【請求項３０】
前記装置によるビーコン送信を用いて前記リスニング期間情報をブロードキャストするための手段をさらに備える請求項２６に記載の装置。
【請求項３１】
他の装置からプローブ要求を受信するための手段と、
前記他の装置から受信された前記プローブ要求に応答して前記装置によるプローブ応答を用いて前記リスニング期間情報を送信するための手段と、をさらに備える請求項２６に記載の装置。
【請求項３２】
前記ネットワークと関連付けられた他の装置から時間同期化情報を受信するための手段をさらに備え、前記他の装置は、ＧＰＳに基づくプロトコルを通じて前記時間同期化情報を入手していた請求項２６に記載の装置。
【請求項３３】
無指向性の方法でリッスンするように前記構成することは、準無指向性アンテナを用いることをさらに備え、前記準無指向性アンテナは、前記装置によって画定された円弧地域にわたって受信するために動作可能である請求項２２に記載の装置。
【請求項３４】
無指向性の方法でリッスンするように前記構成することは、前記装置の受信アンテナの受信ビームを回転させることによって受信することをさらに備え、前記受信アンテナは、ビーム方向を変えるために動作可能である請求項２２記載の装置。
【請求項３５】
前記ネットワークと関連付けられた各装置に関して期間が定義され、各装置に関する前記期間は、前記リスニング期間情報に含められる請求項２６に記載の装置。
【請求項３６】
前記装置は、スーパーフレームの継続時間を定義する前記ネットワークからの情報を受信し、前記スーパーフレームは、ビーコン送信間の時間間隔であり、前記リスニング期間は、前記ネットワークと関連付けられた全装置に共通する前記スーパーフレームの部分として前記ネットワークによって割り当てられる請求項２６に記載の装置。
【請求項３７】
前記装置は、スーパーフレームの継続時間を定義する前記ネットワークからの情報を受信し、前記スーパーフレームは、ビーコン送信間の時間間隔であり、前記リスニング期間は、前記スーパーフレームを要求及び応答期間のための複数の小区分に分割することによって、又は前記スーパーフレームを複数の時間スロットに分割することによって、前記スーパーフレームのランダムな部分において、前記スーパーフレームの部分として、前記ネットワークによって割り当てられる請求項２６に記載の装置。
【請求項３８】
前記リスニング期間の情報は、ＩＥＥＥ８０２．１１プロトコルを用いて送信される請求項２２に記載の装置。
【請求項３９】
停止された前記現在の指向性通信は、他の装置に向けられた送信を備える請求項２２に記載の装置。
【請求項４０】
現在の通信の他の部分の送信を継続するための手段をさらに備え、前記他の部分は、非リスニング期間中に受信された要求メッセージに応答して生成された応答メッセージを備える請求項２２に記載の装置。
【請求項４１】
停止された前記現在の指向性通信は、前記装置によって送信又は受信された全通信を備える請求項２２に記載の装置。
【請求項４２】
アンテナと、
リスニング期間を開始させ、ここで、前記リスニング期間中に、プロセッサは、現在の指向性通信を停止させ、新たな通信を開始させる要求のために無指向性の方法でリッスンするための局を構成する、
前記リスニング期間中に前記要求が受信されたかどうかを決定する
ように構成され、前記アンテナに結合された処理システムと、
前記リスニング期間中に前記新たな通信を開始させる前記要求が受信された場合に応答を送信する
ように構成された送信機と、
を備える、局。
【請求項４３】
リスニング期間を開始させ、ここで、装置は、前記リスニング期間中に、現在の指向性通信を停止させ、新たな通信を開始させる要求のために無指向性の方法でリッスンするように構成される、
前記リスニング期間中に前記要求が受信されたかどうかを決定する
ように構成された処理システムと、
前記リスニング期間中に前記新たな通信を開始させる前記要求が受信された場合に応答を送信するように構成された送信機と、
を備える、無線通信のための装置。
【請求項４４】
前記受信された要求は、ブロードキャストビーコンをさらに備える請求項４３に記載の装置。
【請求項４５】
前記送信機は、前記装置が非リスニング期間にあるときに前記ブロードキャストビーコンに対する前記応答を送信するように構成される請求項４４に記載の装置。
【請求項４６】
前記送信機は、前記装置の前記リスニング期間中又は他の装置のリスニング期間中のいずれか一方に送信するようにさらに構成される請求項４３に記載の装置。
【請求項４７】
前記処理システムは、前記装置のリスニング期間情報が用いられるネットワークと関連付けるように構成される請求項４３に記載の装置。
【請求項４８】
前記送信機は、他の装置が重複するリスニング期間を選択することなしに前記ネットワークと関連付けるのを可能にするために前記他の装置に前記リスニング期間情報を送信するようにさらに構成される請求項４７に記載の装置。
【請求項４９】
前記リスニング期間情報は、前記ネットワークと関連付けられた装置の数と、各々の関連付けられた装置に関するリスニング期間時間及び長さと、を備える請求項４７に記載の装置。
【請求項５０】
前記リスニング期間情報は、前記装置のデバイス識別情報をさらに備える請求項４７に記載の装置。
【請求項５１】
前記送信機は、前記装置によるビーコン送信を用いて前記リスニング期間情報をブロードキャストするようにさらに構成される請求項４７に記載の装置。
【請求項５２】
他の装置からプローブ要求を受信するように構成された受信機をさらに備え、
前記送信機は、前記他の装置から受信された前記プローブ要求に応答して前記装置によるプローブ応答を用いて前記リスニング期間情報を送信するようにさらに構成される請求項４７に記載の装置。
【請求項５３】
前記ネットワークと関連付けられた他の装置から時間同期化情報を受信するように構成された受信機をさらに備え、前記他の装置は、ＧＰＳに基づくプロトコルを通じて前記時間同期化情報を入手していた請求項４７に記載の装置。
【請求項５４】
準無指向性アンテナを用いて受信するように構成された受信機をさらに備え、前記装置は、前記受信機を使用した無指向性の方法でリッスンし、前記準無指向性アンテナは、前記装置によって画定された円弧地域にわたって受信するために動作可能である請求項４３に記載の装置。
【請求項５５】
前記装置の受信アンテナの受信ビームを回転させることによって受信するように構成された受信機をさらに備え、前記装置は、前記受信機を使用した無指向性の方法でリッスンし、前記受信アンテナは、ビーム方向を変えるために動作可能である請求項４３に記載の装置。
【請求項５６】
前記ネットワークと関連付けられた各装置に関して期間が定義され、各装置に関する前記期間は、前記リスニング期間情報に含められる請求項４７に記載の装置。
【請求項５７】
前記装置は、スーパーフレームの継続時間を定義する前記ネットワークからの情報を受信し、前記スーパーフレームは、ビーコン送信間の時間間隔であり、前記リスニング期間は、前記ネットワークと関連付けられた全装置に共通する前記スーパーフレームの部分として前記ネットワークによって割り当てられる請求項４７に記載の装置。
【請求項５８】
前記装置は、スーパーフレームの継続時間を定義する前記ネットワークからの情報を受信し、前記スーパーフレームは、ビーコン送信間の時間間隔であり、前記リスニング期間は、前記スーパーフレームを要求及び応答期間のための複数の小区分に分割することによって、又は前記スーパーフレームを複数の時間スロットに分割することによって、前記スーパーフレームのランダムな部分において、前記スーパーフレームの部分として、前記ネットワークによって割り当てられる請求項４７に記載の装置。
【請求項５９】
前記送信機は、ＩＥＥＥ８０２．１１プロトコルを用いて送信するようにさらに構成される請求項４３に記載の装置。
【請求項６０】
停止された前記現在の指向性通信は、他の装置に向けられた送信を備える請求項４３に記載の装置。
【請求項６１】
前記送信は、現在の通信の他の部分の送信を継続するようにさらに構成され、前記他の部分は、非リスニング期間中に受信された要求メッセージに応答して生成された応答メッセージを備える請求項４３記載の装置。
【請求項６２】
停止された前記現在の指向性通信は、前記装置によって送信又は受信された全通信を備える請求項４３に記載の装置。
【手続補正２】
【補正対象書類名】明細書
【補正対象項目名】００６８
【補正方法】変更
【補正の内容】
【００６８】
１つ以上の典型的な態様において、説明される機能は、ハードウェア、ソフトウェア、ファームウェア、又はそれらのあらゆる組み合わせにおいて実装することができる。ソフトウェアにおいて実装される場合は、これらの機能は、コンピュータによって読み取り可能な媒体において１つ以上の命令又はコードとして格納すること又は送信することができる。コンピュータによって読み取り可能な媒体は、コンピュータ記憶媒体と、１つの場所から他へのコンピュータプログラムの転送を容易にする媒体を含む通信媒体と、の両方を含む。記憶媒体は、コンピュータによってアクセス可能なあらゆる利用可能な媒体であることができる。例として、及び限定することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコードを搬送又は格納するために用いることができ及びコンピュータによってアクセス可能であるその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組合せも、コンピュータによって読み取り可能な媒体の適用範囲に含められるべきである。
以下に、本願出願の当初の特許請求の範囲に記載された発明を付記する。
［Ｃ１］
第１の装置によってリスニング期間モードを開始させることと、
前記リスニング期間モードにおける期間中に要求が受信されたかどうかを決定することと、
前記リスニング期間モードにおける前記期間中に新たな通信を開始させる要求が受信された場合に応答を送信することと、を備え、前記リスニング期間モードは、現在の通信の少なくとも一部を停止させることと、前記新たな通信を開始させる前記要求を受信するように前記第１の装置を構成することと、を備える、無線通信のための方法。
［Ｃ２］
前記受信された要求は、ブロードキャストビーコンをさらに備えるＣ１に記載の方法。
［Ｃ３］
送信は、前記第１の装置が非リスニング期間モードにあるときに前記ブロードキャストビーコンに対する前記応答を送信することを備えるＣ２に記載の方法。
［Ｃ４］
前記送信は、前記第１の装置の前記リスニング期間モード中又は第２の装置のリスニング期間中に送信することを備えるＣ１に記載の方法。
［Ｃ５］
前記第１の装置のリスニングモード情報が用いられるネットワークと前記第１の装置によって関連付けることをさらに備えるＣ１に記載の方法。
［Ｃ６］
前記応答の前記送信は、前記第２の装置が重複するリスニング期間モードを選択することなしに前記ネットワークと関連付けるのを可能にするために前記第２の装置に前記リスニングモード情報を送信することを備えるＣ４に記載の方法。
［Ｃ７］
前記リスニングモード情報は、前記ネットワークと関連付けられた装置の数と、リスニング期間の各々の関連付けられた装置に関するリスニング期間モード時間及び長さと、を備えるＣ５に記載の方法。
［Ｃ８］
前記リスニングモード情報は、前記第１の装置の情報を識別するデバイスをさらに備えるＣ５に記載の方法。
［Ｃ９］
前記第１の装置によるビーコン送信を用いて前記リスニングモード情報をブロードキャストすることをさらに備えるＣ５に記載の方法。
［Ｃ１０］
第２の装置からプローブ要求を受信することと、
前記第２の装置から受信された前記プローブ要求に応答して前記第１の装置によるプローブ応答を用いて前記リスニングモード情報を送信することと、をさらに備えるＣ５に記載の方法。
［Ｃ１１］
前記ネットワークと関連付けられた第２の装置から時間同期化情報を受信することをさらに備え、前記第２の装置は、ＧＰＳに基づくプロトコルを通じて前記時間同期化情報を入手していたＣ５に記載の方法。
［Ｃ１２］
前記要求を受信するように前記構成することは、準無指向性受信アンテナを用いることを備え、前記準無指向性アンテナは、前記第１の装置によって画定された円弧地域にわたって受信するために動作可能であるＣ１に記載の方法。
［Ｃ１３］
受信するように前記構成することは、前記第１の装置の受信アンテナの受信ビームを回転させることによって受信することを備え、前記受信アンテナは、ビーム方向を変えるために動作可能であるＣ１に記載の方法。
［Ｃ１４］
前記ネットワークと関連付けられた各装置に関して期間が定義され、各装置に関する前記期間は、前記リスニングモード情報に含められるＣ５に記載の方法。
［Ｃ１５］
前記第１の装置は、スーパーフレーム継続時間を定義する前記ネットワークからの情報を受信し、前記スーパーフレームは、ビーコン送信間の時間間隔であり、前記リスニング期間モードは、前記ネットワークと関連付けられた全装置に共通する前記スーパーフレームの部分として前記ネットワークによって割り当てられるＣ５に記載の方法。
［Ｃ１６］
前記第１の装置は、スーパーフレーム継続時間を定義する前記ネットワークからの情報を受信し、前記スーパーフレームは、ビーコン送信間の時間間隔であり、前記リスニング期間モードは、前記スーパーフレームを要求及び応答期間のための複数の小区分に分割することによって、又は前記スーパーフレームを複数の時間スロットに分割することによって、前記スーパーフレームのランダムな部分において、前記スーパーフレームの部分として、前記ネットワークによって割り当てられるＣ５に記載の方法。
［Ｃ１７］
前記送信は、ＩＥＥＥ８０２．１１プロトコルを用いて送信されるＣ１に記載の方法。
［Ｃ１８］
停止された現在の通信の前記一部は、他の装置に向けられた直接送信を備えるＣ１に記載の方法。
［Ｃ１９］
前記リスニング期間モードは、現在の通信の他の部分の送信を継続することをさらに備え、前記他の部分は、前記リスニング期間モード中に受信された前記要求メッセージに応答して生成された応答メッセージを備えるＣ１に記載の方法。
［Ｃ２０］
停止された現在の通信の前記一部は、前記第１の装置によって送信又は受信された全通信を備えるＣ１に記載の方法。
［Ｃ２１］
第１の装置によってリスニング期間モードを開始させ、
前記リスニング期間モードにおける期間中に要求が受信されたかどうかを決定し、及び
前記リスニング期間モードにおける前記期間中に新たな通信を開始させる要求が受信された場合に応答を送信するために実行可能なコードを備えるコンピュータによって読み取り可能な媒体、を備え、前記リスニング期間モードは、現在の通信の少なくとも一部を停止させることと、新たな通信を開始させる前記要求を受信するように前記第１の装置を構成することと、を備える、コンピュータプログラム製品。
［Ｃ２２］
第１の装置によってリスニング期間モードを開始させるための手段と、
前記リスニング期間モードにおける期間中に要求が受信されたかどうかを決定するための手段と、
新たな通信を開始させる要求に対する応答を送信するための手段が前記リスニング期間モードにおける前記期間中に受信されることと、を備え、前記リスニング期間モードは、現在の通信の少なくとも一部を停止させるための手段と、前記新たな通信を開始させる前記要求を受信するように前記第１の装置を構成するための手段と、を備える、無線通信のための装置。
［Ｃ２３］
前記受信された要求は、ブロードキャストビーコンをさらに備えるＣ２２に記載の装置。
［Ｃ２４］
送信するための前記手段は、前記第１の装置が非リスニング期間モードにあるときに前記ブロードキャストビーコンに対する前記応答を送信するための手段をさらに備えるＣ２３に記載の装置。
［Ｃ２５］
送信するための前記手段は、前記第１の装置の前記リスニング期間モード中又は第２の装置のリスニング期間中に送信するための手段をさらに備えるＣ２２に記載の装置。
［Ｃ２６］
前記第１の装置のリスニングモード情報が用いられるネットワークと前記第１の装置によって関連付けるための手段をさらに備えるＣ２２に記載の装置。
［Ｃ２７］
送信するための前記手段は、前記第２の装置が重複するリスニング期間モードを選択することなしに前記ネットワークと関連付けるのを可能にするために前記第２の装置に前記リスニングモード情報を送信するための手段をさらに備えるＣ２５に記載の装置。
［Ｃ２８］
前記リスニングモード情報は、前記ネットワークと関連付けられた装置の数と、リスニング期間の各々の関連付けられた装置に関するリスニング期間モード時間及び長さと、を備えるＣ２６に記載の装置。
［Ｃ２９］
前記リスニングモード情報は、前記第１の装置の情報を識別するデバイスをさらに備えるＣ２６に記載の装置。
［Ｃ３０］
前記第１の装置によるビーコン送信を用いて前記リスニングモード情報をブロードキャストするための手段をさらに備えるＣ２６に記載の装置。
［Ｃ３１］
第２の装置からプローブ要求を受信するための手段と、
前記第２の装置から受信された前記プローブ要求に応答して前記第１の装置によるプローブ応答を用いて前記リスニングモード情報を送信するための手段と、をさらに備えるＣ２６に記載の装置。
［Ｃ３２］
前記ネットワークと関連付けられた第２の装置から時間同期化情報を受信するための手段をさらに備え、前記第２の装置は、ＧＰＳに基づくプロトコルを通じて前記時間同期化情報を入手していたＣ２６に記載の装置。
［Ｃ３３］
構成するための前記手段は、準無指向性受信アンテナを用いるための手段をさらに備え、前記準無指向性アンテナは、前記第１の装置によって画定された円弧地域にわたって受信するために動作可能であるＣ２２に記載の装置。
［Ｃ３４］
構成するための前記手段は、前記第１の装置の受信アンテナの受信ビームを回転させることによって受信するための手段をさらに備え、前記受信アンテナは、ビーム方向を変えるために動作可能であるＣ２２記載の装置。
［Ｃ３５］
前記ネットワークと関連付けられた各装置に関して期間が定義され、各装置に関する前記期間は、前記リスニングモード情報に含められるＣ２６に記載の装置。
［Ｃ３６］
前記第１の装置は、スーパーフレーム継続時間を定義する前記ネットワークからの情報を受信し、前記スーパーフレームは、ビーコン送信間の時間間隔であり、前記リスニング期間モードは、前記ネットワークと関連付けられた全装置に共通する前記スーパーフレームの部分として前記ネットワークによって割り当てられるＣ２６に記載の装置。
［Ｃ３７］
前記第１の装置は、スーパーフレーム継続時間を定義する前記ネットワークからの情報を受信し、前記スーパーフレームは、ビーコン送信間の時間間隔であり、前記リスニング期間モードは、前記スーパーフレームを要求及び応答期間のための複数の小区分に分割することによって、又は前記スーパーフレームを複数の時間スロットに分割することによって、前記スーパーフレームのランダムな部分において、前記スーパーフレームの部分として、前記ネットワークによって割り当てられるＣ２６に記載の装置。
［Ｃ３８］
前記リスニングモード情報は、ＩＥＥＥ８０２．１１プロトコルを用いて送信されるＣ２２に記載の装置。
［Ｃ３９］
停止された現在の通信の前記一部は、他の装置に向けられた直接送信を備えるＣ２２に記載の装置。
［Ｃ４０］
前記リスニングモードは、現在の通信の他の部分の送信を継続することをさらに備え、前記他の部分は、前記リスニング期間モード中に受信された前記要求メッセージに応答して生成された応答メッセージを備えるＣ２２に記載の装置。
［Ｃ４１］
停止された現在の通信の前記一部は、前記第１の装置によって送信又は受信された全通信を備えるＣ２２に記載の装置。
［Ｃ４２］
アンテナと、
第１の装置によってリスニング期間モードを開始させ、及び
前記リスニング期間モードにおける期間中に要求が受信されたかどうかを決定するように構成され、前記アンテナに結合された処理システムと、
前記リスニング期間モードにおける前記期間中に前記新たな通信を開始させる要求が受信された場合に応答を送信するように構成された送信機と、を備え、前記リスニング期間モードは、現在の通信の少なくとも一部を停止させることと、前記新たな通信を開始させる前記要求を受信するように前記第１の装置を構成することと、を備える、局。
［Ｃ４３］
第１の装置によってリスニング期間モードを開始させ、及び
前記リスニング期間モードにおける期間中に要求が受信されたかどうかを決定するように構成された処理システムと、
前記リスニング期間モードにおける前記期間中に前記新たな通信を開始させる要求が受信された場合に応答を送信するように構成された送信機と、を備え、前記リスニング期間モードは、現在の通信の少なくとも一部を停止させることと、前記新たな通信を開始させる前記要求を受信するように前記第１の装置を構成することと、を備える、無線通信のための装置。
［Ｃ４４］
前記受信された要求は、ブロードキャストビーコンをさらに備えるＣ４３に記載の装置。
［Ｃ４５］
前記送信機は、前記第１の装置が非リスニング期間モードにあるときに前記ブロードキャストビーコンに対する前記応答を送信するように構成されるＣ４４に記載の装置。
［Ｃ４６］
前記送信機は、前記第１の装置の前記リスニング期間モード中又は第２の装置のリスニング期間中に送信するようにさらに構成されるＣ４３に記載の装置。
［Ｃ４７］
前記処理システムは、前記第１の装置のリスニングモード情報が用いられるネットワークと関連付けるように構成されるＣ４３に記載の装置。
［Ｃ４８］
前記送信機は、前記第２の装置が重複するリスニング期間モードを選択することなしに前記ネットワークと関連付けるのを可能にするために前記第２の装置に前記リスニングモード情報を送信するようにさらに構成されるＣ４６に記載の装置。
［Ｃ４９］
前記リスニングモード情報は、前記ネットワークと関連付けられた装置の数と、リスニング期間の各々の関連付けられた装置に関するリスニング期間モード時間及び長さと、を備えるＣ４７に記載の装置。
［Ｃ５０］
前記リスニングモード情報は、前記第１の装置の情報を識別するデバイスをさらに備えるＣ４７に記載の装置。
［Ｃ５１］
前記送信機は、前記第１の装置によるビーコン送信を用いて前記リスニングモード情報をブロードキャストするようにさらに構成されるＣ４７に記載の装置。
［Ｃ５２］
第２の装置からプローブ要求を受信するように構成された受信機をさらに備え、
前記送信機は、前記第２の装置から受信された前記プローブ要求に応答して前記第１の装置によるプローブ応答を用いて前記リスニングモード情報を送信するようにさらに構成されるＣ４７に記載の装置。
［Ｃ５３］
前記ネットワークと関連付けられた第２の装置から時間同期化情報を受信するように構成された受信機をさらに備え、前記第２の装置は、ＧＰＳに基づくプロトコルを通じて前記時間同期化情報を入手していたＣ４７に記載の装置。
［Ｃ５４］
準無指向性受信アンテナを用いて受信するように構成された受信機をさらに備え、前記準無指向性アンテナは、前記第１の装置によって画定された円弧地域にわたって受信するために動作可能であるＣ４３に記載の装置。
［Ｃ５５］
前記第１の装置の受信アンテナの受信ビームを回転させることによって受信するように構成された受信機をさらに備え、前記受信アンテナは、ビーム方向を変えるために動作可能であるＣ４３に記載の装置。
［Ｃ５６］
前記ネットワークと関連付けられた各装置に関して期間が定義され、各装置に関する前記期間は、前記リスニングモード情報に含められるＣ４７に記載の装置。
［Ｃ５７］
前記第１の装置は、スーパーフレーム継続時間を定義する前記ネットワークからの情報を受信し、前記スーパーフレームは、ビーコン送信間の時間間隔であり、前記リスニング期間モードは、前記ネットワークと関連付けられた全装置に共通する前記スーパーフレームの部分として前記ネットワークによって割り当てられるＣ４７に記載の装置。
［Ｃ５８］
前記第１の装置は、スーパーフレーム継続時間を定義する前記ネットワークからの情報を受信し、前記スーパーフレームは、ビーコン送信間の時間間隔であり、前記リスニング期間モードは、前記スーパーフレームを要求及び応答期間のための複数の小区分に分割することによって、又は前記スーパーフレームを複数の時間スロットに分割することによって、前記スーパーフレームのランダムな部分において、前記スーパーフレームの部分として、前記ネットワークによって割り当てられるＣ４７に記載の装置。
［Ｃ５９］
前記送信機は、ＩＥＥＥ８０２．１１プロトコルを用いて送信するようにさらに構成されるＣ４３に記載の装置。
［Ｃ６０］
停止された現在の通信の前記一部は、他の装置に向けられた直接送信を備えるＣ４３に記載の装置。
［Ｃ６１］
前記リスニングモードは、現在の通信の他の部分の送信を継続することをさらに備え、前記他の部分は、前記リスニング期間モード中に受信された前記要求メッセージに応答して生成された応答メッセージを備えるＣ４３記載の装置。
［Ｃ６２］
停止された現在の通信の前記一部は、前記第１の装置によって送信又は受信された全通信を備えるＣ４３に記載の装置。